(57)【特許請求の範囲】
【請求項１】
第１の主面と、前記第１の主面と表裏の関係にある第２の主面とを有するカード状基材と、
前記第２の主面に配されるアンテナコイルと、
前記第１の主面に配されると共に、前記アンテナコイルの両端部とスルーホールを介して導通するジャンパー導体と、
基材部と表示画素構成部とからなり、前記第１の主面又は前記第２の主面のいずれかに配されるディスプレイ部と、
前記第１の主面又は前記第２の主面のいずれかに配される導電性シールド部と、を有し、
前記第１の主面から前記第２の主面に向けて投影を行ったとき、前記ディスプレイ部が形成する投影は、前記導電性シールド部が形成する投影に含まれ、
前記ディスプレイ部は前記第１の主面に配され、
前記基材部が前記導電性シールド部を兼ね、
前記アンテナコイルから延在するように設けられた第２対向電極、を有し、
前記第１の主面から前記第２の主面に向けて投影を行ったとき、前記ディスプレイ部の前記基材部が形成する投影と、前記第２対向電極が形成する投影の一部が重畳し、
前記基材部と前記第２対向電極によって調整用コンデンサを構成することを特徴とする表示機能付き非接触式データキャリア。
【請求項２】
第１の主面と、前記第１の主面と表裏の関係にある第２の主面とを有するカード状基材と、
前記第２の主面に配されるアンテナコイルと、
前記第１の主面に配されると共に、前記アンテナコイルの両端部とスルーホールを介して導通するジャンパー導体と、
基材部と表示画素構成部とからなり、前記第１の主面又は前記第２の主面のいずれかに配されるディスプレイ部と、
前記第１の主面又は前記第２の主面のいずれかに配される導電性シールド部と、を有し、
前記第１の主面から前記第２の主面に向けて投影を行ったとき、前記ディスプレイ部が形成する投影は、前記導電性シールド部が形成する投影に含まれ、
前記ディスプレイ部は前記第１の主面に配され、
前記基材部が前記導電性シールド部を兼ね、
前記ジャンパー導体から延在するように設けられた第１対向電極と、
前記アンテナコイルから延在するように設けられた第２対向電極と、
前記第１対向電極上に配される粘着性誘電層と、を有し、
前記ディスプレイ部の前記基材部が前記粘着性誘電層上に設けられると共に、
前記第１の主面から前記第２の主面に向けて投影を行ったとき、前記基材部が形成する投影、前記第１対向電極が形成する投影、前記第２対向電極が形成する投影のいずれか２つの投影の一部が重畳し、
前記基材部と前記第１対向電極と前記第２対向電極のいずれかによって調整用コンデンサを構成することを特徴とする表示機能付き非接触式データキャリア。
【請求項３】
前記表示機能付き非接触式データキャリアに対応するリーダーライタで１６．８４ＭＨｚが利用される場合、前記アンテナコイルのインダクタンスを１．５８μＨ以上８．８６μＨ以下に設定したことを特徴とする請求項１又は請求項２に記載の表示機能付き非接触式データキャリア。
【請求項４】
前記表示機能付き非接触式データキャリアに対応するリーダーライタで１６．８４ＭＨｚが利用される場合、前記調整用コンデンサの容量を０．３８ｐＦ以上３９．８３ｐＦ以下に設定したことを特徴とする請求項１乃至請求項３に記載の表示機能付き非接触式データキャリア。
【請求項５】
前記表示機能付き非接触式データキャリアに対応するリーダーライタで１３．５６ＭＨｚが利用される場合、前記アンテナコイルのインダクタンスを２．３３μＨ以上１３．３６μＨ以下に設定したことを特徴とする請求項１又は請求項２に記載の表示機能付き非接触式データキャリア。
【請求項６】
前記表示機能付き非接触式データキャリアに対応するリーダーライタで１３．５６ＭＨｚが利用される場合、前記調整用コンデンサの容量を１．３２ｐＦ以上５５．４６ｐＦ以下に設定したことを特徴とする請求項１、請求項２又は請求項５に記載の表示機能付き非接触式データキャリア。
【請求項７】
前記第２の主面にディスプレイ部取付基準線を設け、前記ディスプレイ部取付基準線を前記アンテナコイルと同じ材料で構成することを特徴とする請求項１乃至請求項６に記載の表示機能付き非接触式データキャリア。
【発明の詳細な説明】
【技術分野】
【０００１】
本発明は、非接触で表示変更を行うことが可能なディスプレイ部が設けられた表示機能付き非接触式データキャリアに関する。
【背景技術】
【０００２】
近年、Ｓｕｉｃａ（登録商標）などのカード内のデータの読み書きをＲＦ−ＩＤ技術により非接触式で行う非接触式データキャリアが広く普及している。現在、このような非接触式データキャリアにおける表示部には、熱を利用した書き込み方式が採用されているが、このような方式では、非接触で表示を変更することが不可能である、という問題があった。そこで、非接触式データキャリアの表示部に、非接触で表示変更可能なディスプレイ部を設ける技術が提案されている。
【０００３】
このようなものの一つとして、例えば、特許文献１（特開２００５−１６５８１４号公報）には、無線でデータの送信および／または受信を行うよう構成された、非接触でデータのやりとりを行うことができるＲＦ−ＩＤ機器において、データに関する情報を表示するための、表示メモリー性を有するディスプレイを表示部として備えることを特徴とするＲＦ−ＩＤ機器が開示されている。
【特許文献１】特開２００５−１６５８１４号公報
【発明の概要】
【発明が解決しようとする課題】
【０００４】
特許文献１に記載されるような、電子ペーパー等のディスプレイ部を搭載した非接触式データキャリアにおいては、上記データキャリアをリーダーライタにかざすと、リーダーライタに利用される電波がノイズとして働き、ディスプレイ上の画像書き換え時に悪影響を与える、という問題があった。
【課題を解決するための手段】
【０００５】
本発明は以上のような課題を解決するためのものであり、請求項１に係る発明は、第１の主面と、前記第１の主面と表裏の関係にある第２の主面とを有するカード状基材と、前記第２の主面に配されるアンテナコイルと、前記第１の主面に配されると共に、前記アンテナコイルの両端部とスルーホールを介して導通するジャンパー導体と、基材部と表示画素構成部とからなり、前記第１の主面又は前記第２の主面のいずれかに配されるディスプレイ部と、前記第１の主面又は前記第２の主面のいずれかに配される導電性シールド部と、を有し、前記第１の主面から前記第２の主面に向けて投影を行ったとき、前記ディスプレイ部が形成する投影は、前記導電性シールド部が形成する投影に含まれ、前記ディスプレイ部は前記第１の主面に配され、前記基材部が前記導電性シールド部を兼ね、前記アンテナコイルから延在するように設けられた第２対向電極、を有し、前記第１の主面から前記第２の主面に向けて投影を行ったとき、前記ディスプレイ部の前記基材部が形成する投影と、前記第２対向電極が形成する投影の一部が重畳し、前記基材部と前記第２対向電極によって調整用コンデンサを構成することを特徴とする表示機能付き非接触式データキャリアである。
【０００６】
また、請求項２に係る発明は、第１の主面と、前記第１の主面と表裏の関係にある第２の主面とを有するカード状基材と、前記第２の主面に配されるアンテナコイルと、前記第１の主面に配されると共に、前記アンテナコイルの両端部とスルーホールを介して導通するジャンパー導体と、基材部と表示画素構成部とからなり、前記第１の主面又は前記第２の主面のいずれかに配されるディスプレイ部と、前記第１の主面又は前記第２の主面のいずれかに配される導電性シールド部と、を有し、前記第１の主面から前記第２の主面に向けて投影を行ったとき、前記ディスプレイ部が形成する投影は、前記導電性シールド部が形成する投影に含まれ、前記ディスプレイ部は前記第１の主面に配され、前記基材部が前記導電性シールド部を兼ね、前記ジャンパー導体から延在するように設けられた第１対向電極と、前記アンテナコイルから延在するように設けられた第２対向電極と、前記第１対向電極上に配される粘着性誘電層と、を有し、前記ディスプレイ部の前記基材部が前記粘着性誘電層上に設けられると共に、前記第１の主面から前記第２の主面に向けて投影を行ったとき、前記基材部が形成する投影、前記第１対向電極が形成する投影、前記第２対向電極が形成する投影のいずれか２つの投影の一部が重畳し、前記基材部と前記第１対向電極と前記第２対向電極のいずれかによって調整用コンデンサを構成することを特徴とする表示機能付き非接触式データキャリアである。
【０００７】
また、請求項３に係る発明は、請求項１又は請求項２に記載の表示機能付き非接触式データキャリアにおいて、前記表示機能付き非接触式データキャリアに対応するリーダーライタで１６．８４ＭＨｚが利用される場合、前記アンテナコイルのインダクタンスを１．５８μＨ以上８．８６μＨ以下に設定したことを特徴とする。
【０００８】
また、請求項４に係る発明は、請求項１乃至請求項３に記載の表示機能付き非接触式データキャリアにおいて、前記表示機能付き非接触式データキャリアに対応するリーダーライタで１６．８４ＭＨｚが利用される場合、前記調整用コンデンサの容量を０．３８ｐＦ以上３９．８３ｐＦ以下に設定したことを特徴とする。
【０００９】
また、請求項５に係る発明は、請求項１又は請求項２に記載の表示機能付き非接触式データキャリアにおいて、前記表示機能付き非接触式データキャリアに対応するリーダーライタで１３．５６ＭＨｚが利用される場合、前記アンテナコイルのインダクタンスを２．３３μＨ以上１３．３６μＨ以下に設定したことを特徴とする。
【００１０】
また、請求項６に係る発明は、請求項１、請求項２又は請求項５に記載の表示機能付き非接触式データキャリアにおいて、前記表示機能付き非接触式データキャリアに対応するリーダーライタで１３．５６ＭＨｚが利用される場合、前記調整用コンデンサの容量を１．３２ｐＦ以上５５．４６ｐＦ以下に設定したことを特徴とする。
【００１１】
また、請求項７に係る発明は、請求項１乃至請求項６に記載の表示機能付き非接触式データキャリアにおいて、前記第２の主面にディスプレイ部取付基準線を設け、前記ディスプレイ部取付基準線を前記アンテナコイルと同じ材料で構成することを特徴とする。
【発明の効果】
【００１７】
本発明の表示機能付き非接触式データキャリアによれば、投影を行ったとき、ディスプレイ部が形成する投影は、導電性シールド部が形成する投影に含まれるように構成されているので、リーダーライタの電波がディスプレイ部に与える影響を、導電性シールドによって遮断することが可能となり、ディスプレイ部の画像書き換えを安定的に行うことができる。
【図面の簡単な説明】
【００１８】
【図１】本発明の第１実施形態に係る表示機能付き非接触式データキャリアの内部構造の概略を模式的に示す図である。
【図２】本発明の第２実施形態に係る表示機能付き非接触式データキャリアの内部構造の概略を模式的に示す図である。
【図３】本発明の第３実施形態に係る表示機能付き非接触式データキャリアの内部構造の概略を模式的に示す図である。
【図４】本発明の第４実施形態に係る表示機能付き非接触式データキャリアの内部構造の概略を模式的に示す図である。
【図５】本発明の第４実施形態に係る表示機能付き非接触式データキャリアに形成される調整用コンデンサ部を斜視的に示す図である。
【図６】本発明の第５実施形態に係る表示機能付き非接触式データキャリアの内部構造の概略を模式的に示す図である。
【図７】本発明の第６実施形態に係る表示機能付き非接触式データキャリアの内部構造の概略を模式的に示す図である。
【図８】導電性シールド部が設けられていない表示機能付き非接触式データキャリアの共振周波数測定結果を示す図である。
【図９】導電性シールド部が設けられている本発明に係る表示機能付き非接触式データキャリアの共振周波数測定結果を示す図である。
【図１０】導電性シールド部が設けられている本発明に係る表示機能付き非接触式データキャリアの共振周波数測定結果を示す図である。
【図１１】本発明に係る表示機能付き非接触式データキャリアのアンテナコイルとして好適なインダクタンス値の算出結果を示す図である。
【図１２】本発明に係る表示機能付き非接触式データキャリアの調整用コンデンサ部として好適な容量値の算出結果を示す図である。
【図１３】本発明に係る表示機能付き非接触式データキャリアのアンテナコイルとして好適なインダクタンス値の算出結果を示す図である。
【図１４】本発明に係る表示機能付き非接触式データキャリアの調整用コンデンサ部として好適な容量値の算出結果を示す図である。
【発明を実施するための形態】
【００１９】
以下、本発明の実施の形態を図面を参照しつつ説明する。図１は本発明の第１実施形態に係る表示機能付き非接触式データキャリアの内部構造の概略を模式的に示す図である。図１（Ａ）は表示機能付き非接触式データキャリアを構成するカード状基材の第１の主面側から内部構造を見た図であり、図１（Ｂ）は図１（Ａ）におけるＸ−Ｘ’断面を模式的に示す図である。
【００２０】
図１において、１００は表示機能付き非接触式データキャリア、１１０はカード状基材、１１１は第１の主面、１１２は第２の主面、１２０はアンテナコイル、１２１はアンテナコイル第１端部、１２２はアンテナコイル第２端部、１３０はジャンパー導体、１３１はジャンパー導体第１端部、１３２はジャンパー導体第２端部、１３３は第１端部スルーホール、１３４は第２端部スルーホール、１３５はＩＣチップ、１４０は導電性シールド部、１５０はディスプレイ部、１５１は基材部、１５５は表示画素構成部をそれぞれ示している。
【００２１】
本実施形態に係る表示機能付き非接触式データキャリア１００は、非接触型のＩＣカード等と称される近距離無線通信機能を備えたＲＦＩＤ（Ｒａｄｉｏ  Ｆｒｅｑｕｅｎｃｙ
Ｉｄｅｎｔｉｆｉｃａｔｉ  ｏｎ）を内蔵した電子機器であり、表示機能付き非接触式データキャリア１００の内部には、ＰＥＴなどの材料で構成されるカード状基材１１０を基礎として、種々の構成が組み込まれている。このカード状基材１１０は、それぞれ表裏の関係にある２つの主面を有しており、そのうちの一つを第１の主面１１１、これと異なる主面を第２の主面１１２と称することする。
【００２２】
本実施形態に係る表示機能付き非接触式データキャリア１００が備える基本的なＲＦＩＤ機能について説明すると、リーダーライタと近距離無線通信を行うためのアンテナコイル１２０を備えている。このアンテナコイル１２０は、カード状基材１１０の第２の主面１１２において、アルミニウム薄膜層や銅薄膜層などによって構成される。
【００２３】
第２の主面１１２におけるアンテナコイル１２０のそれぞれの端部には、アンテナコイル第１端部１２１及びアンテナコイル第２端部１２２が設けられている。一方、カード状基材１１０の第１の主面１１１には、アルミニウム薄膜層や銅薄膜層などによってジャンパー導体１３０が設けられており、このジャンパー導体１３０の両端部であるジャンパー導体第１端部１３１及びジャンパー導体第２端部１３２には、カード状基材１１０を貫通すると共に、第１の主面１１１側と第２の主面１１２を導通する第１端部スルーホール１３３及び第２端部スルーホール１３４がそれぞれ設けられる。
【００２４】
これら第１端部スルーホール１３３及び第２端部スルーホール１３４によって、アンテナコイル第１端部１２１とジャンパー導体第１端部１３１が導通し、アンテナコイル第２端部１２２はとジャンパー導体第２端部１３２が導通することで、アンテナコイル１２０がコイル状のループアンテナとして機能するようになっている。
【００２５】
以上のように構成されるアンテナコイル１２０のループ中には、ＩＣチップ１３５が設けられている。このＩＣチップ１３５は、リーダーライタ（不図示）からの搬送波を受信して蓄積して電源を得る電源レギュレータ回路や、リーダーライタと送受信を行う送受信回路、受信したデータや送信するデータの処理を行うデータ処理回路、送受信するデータの暗号化及び復号化を処理する暗号・解読回路、ＲＦＩＤが保持するデータを格納するメモリー、及びディスプレイ部１５０における表示を制御する表示制御回路などを内蔵してなるものである。
【００２６】
ディスプレイ部１５０は、ＩＣチップ１３５と図示しない配線で信号の授受を行うことができ、ＩＣチップ１３５からの制御信号により駆動され、第１の主面１１１側から視認可能な表示を再現することができる表示部である。このようなディスプレイ部１５０は、ＰＥＴやＰＥＮなどの基材部１５１と、この基材部１５１上に作り上げられた表示画素構成部１５５とから構成されている。なお、表示画素構成部１５５における表示原理として採用し得るものは種々あるが、例えば電子ペーパーと同様のものを採用することで、メモリー性を有する表示を行うことができる。
【００２７】
第１の主面１１１側に設けられたディスプレイ部１５０に対応するようにして、第２の主面１１２には、導電性シールド部１４０が設けられている。より詳細に説明すると、第１の主面１１１から第２の主面１１２に向けて投影を行ったとき、ディスプレイ部１５０が形成する投影は、導電性シールド部１４０が形成する投影に含まれるような配置関係となっている。このような導電性シールド部１４０が、ディスプレイ部１５０に対応するようにして設けられているので、リーダーライタの電波がディスプレイ部１５０に与える影響を、導電性シールド部１４０によって遮断することが可能となり、ディスプレイ部１５
０の画像書き換えを安定的に行うことができる。
【００２８】
なお、本明細書及び特許請求の範囲では、上記のような「投影」という概念を用いて、ディスプレイ部１５０や導電性シールド部１４０などの平面構成部同士の関連性について記述を行うものとする。より詳しくは、本明細書及び特許請求の範囲においては、第１の主面１１１から第２の主面１１２に向けて投影を行ったとき（すなわち、鉛直方向に投影を行ったとき）に仮想的な水平面上に形成される、ディスプレイ部１５０や導電性シールド部１４０などの平面構成部の投影同士を比較することによって、それぞれの平面構成部の大小関係や、鉛直方向から透過的にみたときにおけるそれぞれの平面構成部の包含関係を表現する。
【００２９】
また、導電性シールド部１４０が、アンテナコイル１２０と同じ材料で構成されることが好ましい。カード状基材１１０の第２の主面１１２に設けられたアンテナコイル１２０は、例えば、アルミニウム薄膜層や銅薄膜層などによって構成されるが、アンテナコイル１２０と同様のアルミニウム薄膜層や銅薄膜層などによって導電性シールド部１４０を構成すると、アンテナコイル１２０と導電性シールド部１４０とを同時に製造することが可能となり、製造工程を簡素化することができる。
【００３０】
次に、本発明の他の実施形態について説明する。図２は本発明の第２実施形態に係る表示機能付き非接触式データキャリア１００の内部構造の概略を模式的に示す図である。第２実施形態が第１実施形態と相違する点は、ディスプレイ部１５０の構成と、導電性シールド部１４０の構成であり、その他の点については同様であるので、その他の点については説明を省略する。なお、図２において、図１と同様の参照番号が付された構成は、同様のものを示している。
【００３１】
第１実施形態に係る表示機能付き非接触式データキャリア１００のディスプレイ部１５０としては、ＰＥＴやＰＥＮなどの絶縁性の合成樹脂が用いられていた。これに対して、第２実施形態に係る表示機能付き非接触式データキャリア１００におけるディスプレイ部１５０の基材部としては、導電性の金属が用いられる。より詳しくは、ディスプレイ部１５０の表示画素構成部１５５が設けられる基材としてはステンレス製基材部１５２が用いられる。これに伴い、第１実施形態で、第２の主面１１２側に設けていたシールド部は廃し、本実施形態では、ディスプレイ部１５０のステンレス製基材部１５２が導電性シールド部を兼ねるようにしている。
【００３２】
このような導電性シールド部を兼ねたステンレス製基材部１５２を設けた第２実施形態によれば、リーダーライタの電波がディスプレイ部１５０に与える影響を、導電性シールド部を兼ねるステンレス製基材部１５２によって遮断することが可能となり、ディスプレイ部１５０の画像書き換えを安定的に行うことができる。また、第１実施形態のように、第２の主面１１２側にシールド部を設ける必要がなくなるので、第２実施形態によれば、製造工程が簡素化するというメリットを享受することができる。
【００３３】
次に、本発明の他の実施形態について説明する。図３は本発明の第３実施形態に係る表示機能付き非接触式データキャリア１００の内部構造の概略を模式的に示す図である。第３実施形態が第２実施形態と相違する点は、ディスプレイ部１５０を設ける主面が異なっている点である。より詳しくは、ディスプレイ部１５０は第２の主面１１２に配され、ステンレス製基材部１５２が導電性シールド部を兼ねるようにしている。なお、図３において、図２と同様の参照番号が付された構成は、同様の構成を示している。
【００３４】
図３に示す第３実施形態は、ディスプレイ部１５０の表示面のトップは、カード状基材１１０によってカバーされる構成となっている。すなわち、ディスプレイ部１５０は、透
明なカード状基材１１０を介して参照することとなる。一般的にディスプレイ部１５０の表示画素構成部１５５のトップの層には、表示画素等を保護するための保護層を設ける必要があるが、第３実施形態のような構成によれば、このような保護層を設ける必要がなく、構成を簡略化することができる。また、第３実施形態によれば、リーダーライタの電波がディスプレイ部１５０に与える影響を、導電性シールド部を兼ねるステンレス製基材部１５２によって遮断することが可能となり、ディスプレイ部１５０の画像書き換えを安定的に行うことができる。また、第１実施形態のように、第２の主面１１２側にシールド部を設ける必要がなくなるので、第３実施形態によれば、製造工程が簡素化するというメリットを享受することができる。
【００３５】
また、第３の実施形態においては、第２の主面１１２側に、アンテナコイル１２０と同様のアルミニウム薄膜層や銅薄膜層などによって、ディスプレイ部取付基準線１２５を設けるようにしている。このようにディスプレイ部取付基準線１２５を、アンテナコイル１２０と同じ材料で構成することにより、ディスプレイ部取付基準線１２５を設ける工程を簡略化すると同時に、ディスプレイ部取付基準線１２５によってディスプレイ部１５０の取付性を向上するものであり、このような、ディスプレイ部取付基準線１２５を設けることによれば、製造効率を向上させることができる。なお、このようなディスプレイ部取付基準線１２５を設けることは、他の実施形態にも応用することができる。
【００３６】
次に、本発明の他の実施形態について説明する。図４は本発明の第４実施形態に係る表示機能付き非接触式データキャリア１００の内部構造の概略を模式的に示す図である。また、図５は本発明の第４実施形態に係る表示機能付き非接触式データキャリア１００に形成される調整用コンデンサ部１７０を斜視的に示す図である。第４実施形態が第１実施形態と相違する点は、共振周波数を調整するための調整用コンデンサ部１７０が形成されている点である。すなわち、第４実施形態に係る表示機能付き非接触式データキャリア１００は、ジャンパー導体１３０から延在するように設けられた第１対向電極と、アンテナコイル１２０から延在するように設けられた第２対向電極と、を有しており、第１の主面１１１から第１の主面１１２に向けて投影を行ったとき、第１対向電極が形成する投影と、第２対向電極が形成する投影の一部が重畳し、第１対向電極と第２対向電極によって調整用コンデンサ部１７０を構成するものとなっている。
【００３７】
第４実施形態に係る表示機能付き非接触式データキャリア１００の調整用コンデンサ部１７０について図５を参照してより詳細に説明する。
【００３８】
調整用コンデンサ部１７０は、ジャンパー導体１３０から延在するように設けられた第１電極１７１と、アンテナコイル１２０から延在するように設けられた第２電極１７５とを有している。第１電極１７１及び第２電極１７５はいずれも、ジャンパー導体１３０、アンテナコイル１２０と同じ材料によって構成されることが好ましい。第１電極１７１及び第２電極１７５を、ジャンパー導体１３０、アンテナコイル１２０と同じ材料によって製造することによって、製造上の工程を簡略化することができるからである。
【００３９】
第１電極１７１は、コンデンサの対向電極として機能する第１対向電極部１７２と、対向電極部の間やジャンパー導との間を連結する連結電極部１７３を有している。同様に、第２電極１７５は、コンデンサの対向電極として機能する第２対向電極１７６と、対向電極部の間やアンテナコイルとの間を連結する連結電極部１７７を有している。これにより、第１対向電極部１７２と第２対向電極１７６との間のカード状基材１１０が誘電体として機能することにより調整用コンデンサ部１７０が構成される。なお、連結電極部１７３または連結電極部１７７を取り除くことによって、調整用コンデンサ部１７０における容量を適宜調整することができるようになっている。
【００４０】
以上のような第４実施形態によれば、導電性シールド部１４０が、ディスプレイ部１５０に対応するようにして設けられているので、リーダーライタの電波がディスプレイ部１５０に与える影響を、導電性シールド部１４０によって遮断することが可能となり、ディスプレイ部１５０の画像書き換えを安定的に行うことができると共に、導電性シールド部１４０が設けられることによって変動する共振周波数を、調整用コンデンサ部１７０により調整することが可能となる。
【００４１】
次に、本発明の他の実施形態について説明する。図６は本発明の第５実施形態に係る表示機能付き非接触式データキャリア１００の内部構造の概略を模式的に示す図である。第５実施形態が第１実施形態と相違する点は、ディスプレイ部１５０の構成と、導電性シールド部１４０の構成であり、その他の点については同様であるので、その他の点については説明を省略する。なお、図６において、図１と同様の参照番号が付された構成は、同様のものを示している。
【００４２】
第１実施形態に係る表示機能付き非接触式データキャリア１００のディスプレイ部１５０としては、ＰＥＴやＰＥＮなどの絶縁性の合成樹脂が用いられていた。これに対して、第５実施形態に係る表示機能付き非接触式データキャリア１００におけるディスプレイ部１５０の基材部としては、導電性の金属が用いられる。より詳しくは、ディスプレイ部１５０の表示画素構成部１５５が設けられる基材としてはステンレス製基材部１５２が用いられる。これに伴い、第１実施形態で、第５の主面１１２側に設けていたシールド部は廃し、本実施形態では、ディスプレイ部１５０のステンレス製基材部１５２が導電性シールド部を兼ねるようにしている。
【００４３】
また、第５実施形態に係る表示機能付き非接触式データキャリア１００においては、ステンレス製基材部１５２は、第１の主面１１１におけるジャンパー導体１３０から延在する連結電極部１７３と導通するようになっている。また、これと対向するようにして、アンテナコイル１２０から延在する連結電極部１７７と導通する第２対向電極１７６が設けられている。そして、第１の主面１１１から第２の主面１１２に向けて投影を行ったとき、ディスプレイ部１５０のステンレス製基材部１５２が形成する投影と、第２対向電極１７６が形成する投影の一部が重畳し、ステンレス製基材部１５２と第２対向電極１７６によって調整用コンデンサ１７０が構成されるようになっている。すなわち、本実施形態においては、ステンレス製基材部１５２と第２対向電極１７６との間のカード状基材１１０が誘電体として機能することにより調整用コンデンサ部１７０が構成される。
【００４４】
以上のような実施形態によれば、導電性シールド部を兼ねたステンレス製基材部１５２を設けた第５実施形態によれば、リーダーライタの電波がディスプレイ部１５０に与える影響を、導電性シールド部を兼ねるステンレス製基材部１５２によって遮断することが可能となり、ディスプレイ部１５０の画像書き換えを安定的に行うことができる。また、第４実施形態のように、第２の主面１１２側にシールド部を設ける必要がなくなるので、第５実施形態によれば、製造工程が簡素化するというメリットを享受することができる。また、第５実施形態によれば、導電性シールド部が設けられることによって変動する共振周波数を、調整用コンデンサ部１７０により調整することが可能となる。また、この調整用コンデンサ部１７０は、シールド部と構成を共用するものであり、製造を簡素化することが可能となると共に、カード状基材１１０上のスペースを効率的に利用することができる。
【００４５】
次に、本発明の他の実施形態について説明する。図７は本発明の第６実施形態に係る表示機能付き非接触式データキャリア１００の内部構造の概略を模式的に示す図である。第６実施形態が第５実施形態と相違する点は、ディスプレイ部１５０が配される位置には、ジャンパー導体１３０から延在する連結電極部１７３と導通する第１対向電極部１７２が
設けられ、さらにこの第１対向電極部１７２上には粘着性誘電層１７９が設けられるようになっている。ステンレス製基材部１５２上に製造されたディスプレイ部１５０は、この粘着性誘電層１７９に取り付けられるようになっている。
【００４６】
また、第６実施形態に係る表示機能付き非接触式データキャリア１００においては、ステンレス製基材部１５２は、第１の主面１１１におけるジャンパー導体１３０から延在する連結電極部１７３と導通するようになっている。また、これと対向するようにして、アンテナコイル１２０から延在する連結電極部１７７と導通する第２対向電極１７６が設けられている。そして、第１の主面１１１から第２の主面１１２に向けて投影を行ったとき、ステンレス製基材部１５２が形成する投影、第１対向電極部１７２が形成する投影、第２対向電極１７６が形成する投影のいずれか２つの投影の一部が重畳し、ステンレス製基材部１５２と第１対向電極部１７２と第２対向電極１７６のいずれかによって調整用コンデンサ１７０を構成することを特徴とするようになっている。すなわち、本実施形態においては、ステンレス製基材部１５２と第１対向電極部１７２との間の粘着性誘電層１７９、及び、ステンレス製基材部１５２と第２対向電極１７６との間のカード状基材１１０が誘電体として機能することにより調整用コンデンサ部１７０が構成される。
【００４７】
以上のような実施形態によれば、導電性シールド部を兼ねたステンレス製基材部１５２を設けた第６実施形態によれば、リーダーライタの電波がディスプレイ部１５０に与える影響を、導電性シールド部を兼ねるステンレス製基材部１５２によって遮断することが可能となり、ディスプレイ部１５０の画像書き換えを安定的に行うことができる。また、第６実施形態によれば、導電性シールド部が設けられることによって変動する共振周波数を、調整用コンデンサ部１７０により調整することが可能となる。また、この調整用コンデンサ部１７０は、シールド部と構成を共用するものであり、製造を簡素化することが可能となると共に、カード状基材１１０上のスペースを効率的に利用することができる。また、調整用コンデンサ部１７０は、粘着性誘電層１７９、カード状基材１１０を誘電体として利用するものであり、容量の設定により多くの自由度が生まれる。
【００４８】
次に、アンテナコイル１２０のインダクタンス値として好ましい値、及び調整用コンデンサ部１７０の容量値として好ましい値について検討する。図８は導電性シールド部が設けられていない表示機能付き非接触式データキャリアの共振周波数測定結果を示す図である。図８（Ａ）は共振周波数測定条件を示す図であり、図８（Ｂ）は測定結果を示すグラフである。
【００４９】
図８（Ａ）に示す共振周波数の測定においては、リーダーライタで１６．８４ＭＨｚが利用される場合において、ディスプレイ部１５０の位置に応じて、共振周波数がどのように変化するかを測定したものである。図中（１）、（２）、（３）のポイントにディスプレイ部１５０の左隅を位置させて、共振周波数を測定したところ、図８（Ｂ）に示すように、共振周波数は１６．８４ＭＨｚから大きく外れることはなかった。
【００５０】
一方、図９は導電性シールド部が設けられている本発明に係る表示機能付き非接触式データキャリア１００の共振周波数測定結果を示す図である。図９（Ａ）は共振周波数測定条件を示す図であり、図９（Ｂ）、（Ｃ）は測定結果を示すグラフである。
【００５１】
図９（Ａ）に示す共振周波数の測定においては、リーダーライタで１６．８４ＭＨｚが利用される場合において、導電性シールド部を兼ねるステンレス製基材部１５２が設けられたディスプレイ部１５０の位置に応じて、共振周波数がどのように変化するかを測定したものである。表示機能付き非接触式データキャリア１００の左隅からの距離を変化させてディスプレイ部１５０を設置し取得した測定結果が図９（Ｂ）であり、同じく右隅からの距離を変化させてディスプレイ部１５０を設置し取得した測定結果が図９（Ｃ）である
。図９（Ｂ）、（ｃ）に示すように、共振周波数は１６．８４ＭＨｚから外れ、１７．７ＭＨｚ〜１９．５ＭＨｚの範囲の値をとることがわかった。
【００５２】
図１０は、図９における測定と同様の測定を３５ｍｍ×２５ｍｍのサイズの、ステンレス製基材部１５２上に設けられたディスプレイ部１５０により行ったものである。１０（Ｂ）、（ｃ）に示すように、共振周波数は１６．８４ＭＨｚから外れ、１７．１ＭＨｚ〜１８．０ＭＨｚの範囲の値をとることがわかった。
【００５３】
以上の結果を踏まえて、アンテナコイル１２０のインダクタンス値、調整用コンデンサ部１７０の容量値として、好ましい値を算出した。図１１は本発明に係る表示機能付き非接触式データキャリア１００のアンテナコイル１２０として好適なインダクタンス値の算出結果を示す図である。図１１（Ａ）は共振周波数２０ＭＨｚ（先の測定結果に裕度分を足した値）に対応するために必要なアンテナコイル１２０のインダクタンス値であり、図１１（Ｂ）は共振周波数１７ＭＨｚ（先の測定結果から裕度分を引いた値）に対応するために必要なアンテナコイル１２０のインダクタンス値である。なお、ＩＣチップ１３５の内部容量は、２０ｐＦ、３０ｐＦ、９７ｐＦのいずれかを仮定した。
【００５４】
図１１の結果を総合すると、表示機能付き非接触式データキャリア１００に対応するリーダーライタで１６．８４ＭＨｚが利用される場合、アンテナコイル１２０のインダクタンスを１．５８μＨ以上８．８６μＨ以下に設定することが好ましいことがわかる。
【００５５】
また、図１２は本発明に係る表示機能付き非接触式データキャリア１００の調整用コンデンサ部１７０として好適な容量値の算出結果を示す図である。図１２（Ａ）は共振周波数２０ＭＨｚ（先の測定結果に裕度分を足した値）に対応するために必要な調整用コンデンサ部１７０の容量値であり、図１２（Ｂ）は共振周波数１７ＭＨｚ（先の測定結果から裕度分を引いた値）に対応するために必要な調整用コンデンサ部１７０の容量値である。
【００５６】
図１２の結果を総合すると、表示機能付き非接触式データキャリア１００に対応するリーダーライタで１６．８４ＭＨｚが利用される場合、調整用コンデンサ１７０の容量を０．３８ｐＦ以上３９．８３ｐＦ以下に設定することが好ましいことがわかる。
【００５７】
図８乃至図１０に係る測定と同様の測定を１３．５６ＭＨｚのリーダーライタについても実施し、アンテナコイル１２０のインダクタンス値、調整用コンデンサ部１７０の容量値として、好ましい値を算出した。以下、結果を示す。
【００５８】
図１３は本発明に係る表示機能付き非接触式データキャリア１００のアンテナコイル１２０として好適なインダクタンス値の算出結果を示す図である。図１３（Ａ）は共振周波数１７ＭＨｚ（測定結果に裕度分を足した値）に対応するために必要なアンテナコイル１２０のインダクタンス値であり、図１３（Ｂ）は共振周波数１４ＭＨｚ（測定結果から裕度分を引いた値）に対応するために必要なアンテナコイル１２０のインダクタンス値である。なお、ＩＣチップ１３５の内部容量は、２０ｐＦ、３０ｐＦ、９７ｐＦのいずれかを仮定した。
【００５９】
図１３の結果を総合すると、表示機能付き非接触式データキャリア１００に対応するリーダーライタで１３．５６ＭＨｚが利用される場合、アンテナコイル１２０のインダクタンスを２．３３μＨ以上１３．３６μＨ以下に設定することが好ましいことがわかる。
【００６０】
また、リーダーライタで１３．５６ＭＨｚが利用される場合における図１４は本発明に係る表示機能付き非接触式データキャリア１００の調整用コンデンサ部１７０として好適な容量値の算出結果を示す図である。図１４（Ａ）は共振周波数１７ＭＨｚ（測定結果に
裕度分を足した値）に対応するために必要な調整用コンデンサ部１７０の容量値であり、図１４（Ｂ）は共振周波数１４ＭＨｚ（測定結果から裕度分を引いた値）に対応するために必要な調整用コンデンサ部１７０の容量値である。
【００６１】
図１４の結果を総合すると、表示機能付き非接触式データキャリア１００に対応するリーダーライタで１３．５６ＭＨｚが利用される場合、調整用コンデンサ１７０の容量を１．３２ｐＦ以上５５．４６ｐＦ以下に設定することが好ましいことがわかる。
【００６２】
以上、本発明の表示機能付き非接触式データキャリアによれば、投影を行ったとき、ディスプレイ部が形成する投影は、導電性シールド部が形成する投影に含まれるように構成されているので、リーダーライタの電波がディスプレイ部に与える影響を、導電性シールドによって遮断することが可能となり、ディスプレイ部の画像書き換えを安定的に行うことができる。
【符号の説明】
【００６３】
１００・・・表示機能付き非接触式データキャリア、１１０・・・カード状基材、１１１・・・第１の主面、１１２・・・第２の主面、１２０・・・アンテナコイル、１２１・・・アンテナコイル第１端部、１２２・・・アンテナコイル第２端部、１２５・・・ディスプレイ部取付基準線、１３０・・・ジャンパー導体、１３１・・・ジャンパー導体第１端部、１３２・・・ジャンパー導体第２端部、１３３・・・第１端部スルーホール、１３４・・・第２端部スルーホール、１３５・・・ＩＣチップ、１４０・・・導電性シールド部、１５０・・・ディスプレイ部、１５１・・・基材部、１５２・・・ステンレス製基材部、１５５・・・表示画素構成部、１７０・・・調整用コンデンサ部、１７１・・・第１電極、１７２・・・第１対向電極部、１７３・・・連結電極部、１７５・・・第２電極、１７６・・・第２対向電極、１７７・・・連結電極部、１７９・・・粘着性誘電層
【図１】
0005423974.tif 000002
【図２】
0005423974.tif 000003
【図３】
0005423974.tif 000004
【図４】
0005423974.tif 000005
【図５】
0005423974.tif 000006
【図６】
0005423974.tif 000007
【図７】
0005423974.tif 000008
【図８】
0005423974.tif 000009
【図９】
0005423974.tif 000010
【図１０】
0005423974.tif 000011
【図１１】
0005423974.tif 000012
【図１２】
0005423974.tif 000013
【図１３】
0005423974.tif 000014
【図１４】
0005423974.tif 000015